(57)【特許請求の範囲】
【請求項１】
情報通信ネットワークに接続されたサーバーコンピュータにより構成され、特定の移動通信事業者により管轄される、ネットワーク接続機能を有する携帯電話機向けにＷＥＢ検索サービスを提供するシステムであって、
前記情報通信ネットワーク上に公開される各ＷＥＢページを構成するＷＥＢページデータを取得するＷＥＢページ取得手段と、
前記ＷＥＢページデータに含まれ得る所定の記号または記号列について、前記携帯電話機での表示に悪影響を及ぼす度合いに応じて設定された適合ポイントを保持するポイント保持手段と、前記取得したＷＥＢページデータに含まれる前記所定の記号または記号列を抽出する手段と、前記ポイント保持手段を参照して前記抽出した各記号または記号列の適合ポイントを取得し、ＷＥＢページ毎に取得した適合ポイントを累積してその累積値を適合性レベルとして判定する手段とを有するレベル判定手段と、
前記取得した各ＷＥＢページデータを、該当するＷＥＢページの識別情報および前記判定した適合性レベルと共にデータベースに記録する記録手段と、
前記携帯電話機から検索条件を指定した検索要求を受信する検索要求受信手段と、
前記データベースを参照して、前記受信した検索要求で指定された検索条件に該当するＷＥＢページのうち、前記適合性レベルが所定の条件を満足するＷＥＢページを検索する検索手段と、
該検索したＷＥＢページの識別情報を表示する検索結果画面を生成して、前記携帯電話機へ送信する結果送信手段と、を備えることを特徴とするＷＥＢ検索サービスシステム。
【請求項２】
請求項１記載のＷＥＢ検索サービスシステムにおいて、
前記ポイント保持手段には、前記適合ポイントとして、
前記携帯電話向けのＷＥＢサイトに特有の記号又は記号列には、正の値である第１の値が設定され、
前記携帯電話向けのＷＥＢサイト及びパソコン向けＷＥＢサイトに共通に用いられる記号又は記号列には、前記第１の値より小さい正の数である第２の値が設定され、
前記携帯電話機向けのＷＥＢサイトに含まれることはあり得ないが、前記携帯電話機での表示に悪影響を与えることのない記号又は記号列には、前記第２の値より小さい第３の値が設定され、
前記携帯電話機での表示に悪影響を与えるおそれのある記号又は記号列には、前記第３の値よりも小さく、かつ、負の値である第４の値が設定されていることを特徴とするＷＥＢ検索サービスシステム。
【請求項３】
請求項２記載のＷＥＢ検索サービスシステムにおいて、
前記検索手段は、前記適合性レベルが、負の値である所定の基準値よりも大きいＷＥＢページを検索し、
前記結果送信手段は、前記検索したＷＥＢサイトを前記適合性レベルが大きい順に表示した前記検索結果画面を生成することを特徴とするＷＥＢ検索サービスシステム。
【請求項４】
請求項１〜３のうち何れか１項記載のＷＥＢ検索サービスシステムにおいて、
前記ポイント保持手段には、前記適合ポイントとして、前記携帯電話機での表示に悪影響を与えることが確実な記号又は記号列には、所定の負の値が設定され、
前記判定手段は、前記適合ポイントが前記所定の負の値である記号又は記号列が含まれるＷＥＢページについては、前記適合ポイントの累積値にかかわらず、前記適合性レベルを、前記所定の条件を満たさない値に設定することを特徴とするＷＥＢ検索サービスシステム。
【請求項５】
特定の移動通信事業者により管轄される、ネットワーク接続機能を有する携帯電話機向けにＷＥＢ検索サービスを提供する方法であって、検索サーバーが、
前記情報通信ネットワーク上に公開される各ＷＥＢページを構成するＷＥＢページデータを取得するステップと、
前記取得したＷＥＢページデータに含まれる前記所定の記号または記号列を抽出するステップと、
前記ＷＥＢページデータに含まれ得る所定の記号または記号列について、前記携帯電話機での表示に悪影響を及ぼす度合いが大きいほど小さな値となるように設定された適合ポイントを保持するポイント保持手段を参照して、前記抽出した各記号または記号列の適合ポイントを取得するステップと、
ＷＥＢページ毎に取得した適合ポイントを累積してその累積値を適合性レベルとするステップと、
前記取得した各ＷＥＢページデータを、該当するＷＥＢページの識別情報および前記判定した適合性レベルと共にデータベースに記録するステップと、
前記携帯電話機から検索条件を指定した検索要求を受信するステップと、
前記データベースを参照して、前記受信した検索要求で指定された検索条件に該当するＷＥＢページのうち、前記適合性レベルが所定の条件を満足するＷＥＢページを検索するステップと、
該検索したＷＥＢページの識別情報を表示する検索結果画面を生成して、前記携帯電話機へ送信するステップと、を実行することを特徴とするＷＥＢ検索サービス方法。
【発明の詳細な説明】
【０００１】
【発明の属する技術分野】
本発明は、ＷＥＢ検索サービスシステムに係り、特に、携帯電話機のように表示可能なＷＥＢページに制限があるユーザ端末向けにＷＥＢ検索サービスを提供するうえで好適なＷＥＢ検索サービスシステムおよび方法に関する。
【０００２】
【従来の技術】
インターネット上では、ＷＥＢ検索サービスを提供する種々の検索サイトが運営されている。この検索サイトは、インターネット上の各ＷＥＢサイトを巡回し、それらのＷＥＢページのテキスト情報を取得してデータベース化している。そして、ユーザコンピュータから検索要求があると、上記データベース内のテキスト情報を参照して検索処理を行い、検索結果をユーザコンピュータへ返送する。ユーザは、このような検索サイトを利用することにより、インターネット上の莫大な数のＷＥＢサイトの中から、所望の情報を含むＷＥＢページを見つけ出すことが可能となる。そして、近年では、携帯電話機からインターネットに接続することも一般的になっており、携帯電話専用の検索サイトも存在する。
【０００３】
【発明が解決しようとする課題】
ところで、インターネット接続機能を持つ携帯電話機のうち、例えば、ｉモード対応の携帯電話機は、ｃＨＴＭＬで記述されたＷＥＢページを表示できるように構成されている。ｃＨＴＭＬは、パーソナルコンピュータ（以下、パソコンという）向けのＷＥＢサイトの記述言語として一般的なＨＴＭＬのサブセットであり、ＨＴＭＬと高い互換性を有している。このため、検索サイトが検索処理の際に参照するテキスト情報だけでは、携帯電話機向けのＷＥＢサイトかパソコン向けのＷＥＢサイトかを判別することはできない。このような理由から、携帯電話機専用の検索サイトで検索を行っても、その検索結果にはパソコン向けのＷＥＢページが多数混じって表示される。
【０００４】
しかしながら、携帯電話機はパソコンに比べて、表示画面の画素数や取扱い可能な最大データサイズ等、ハードウェア機能面において大きく劣っている。そして、パソコン用のＷＥＢサイトではパソコンのハードウェア機能を前提としてＷＥＢページが記述されるため、ＨＴＭＬとｃＨＴＭＬとが高い互換性を有しているといえども、携帯電話機でパソコン向けＷＥＢサイトを閲覧することは困難なことが多い。すなわち、携帯電話専用の検索サイトでの検索結果に含まれるパソコン向けＷＥＢページは、携帯電話機での表示に適合しないことが多く、ユーザにとって不要な検索結果が多数表示されてしまうことになる。
【０００５】
本発明は上記の点に鑑みてなされたものであり、携帯電話機向けにＷＥＢ検索サービスを提供するにあたり、携帯電話機に適合したＷＥＢ検索結果のみを提示することがＷＥＢ検索サービスシステムおよび方法を提供することを目的とする。
【０００６】
上記の目的を達成するため、請求項１記載の発明は、情報通信ネットワークに接続されたサーバーコンピュータにより構成され、特定の移動通信事業者により管轄される、ネットワーク接続機能を有する携帯電話機向けにＷＥＢ検索サービスを提供するシステムであって、
前記情報通信ネットワーク上に公開される各ＷＥＢページを構成するＷＥＢページデータを取得するＷＥＢページ取得手段と、
前記ＷＥＢページデータに含まれ得る所定の記号または記号列について、前記携帯電話機での表示に悪影響を及ぼす度合いに応じて設定された適合ポイントを保持するポイント保持手段と、前記取得したＷＥＢページデータに含まれる前記所定の記号または記号列を抽出する手段と、前記ポイント保持手段を参照して前記抽出した各記号または記号列の適合ポイントを取得し、ＷＥＢページ毎に取得した適合ポイントを累積してその累積値を適合性レベルとして判定する手段とを有するレベル判定手段と、
前記取得した各ＷＥＢページデータを、該当するＷＥＢページの識別情報および前記判定した適合性レベルと共にデータベースに記録する記録手段と、
前記携帯電話機から検索条件を指定した検索要求を受信する検索要求受信手段と、
前記データベースを参照して、前記受信した検索要求で指定された検索条件に該当するＷＥＢページのうち、前記適合性レベルが所定の条件を満足するＷＥＢページを検索する検索手段と、
該検索したＷＥＢページの識別情報を表示する検索結果画面を生成して、前記携帯電話機へ送信する結果送信手段と、を備えることを特徴とする。
【０００７】
また、請求項５に記載された発明は、特定の移動通信事業者により管轄される、ネットワーク接続機能を有する携帯電話機向けにＷＥＢ検索サービスを提供する方法であって、検索サーバーが、
前記情報通信ネットワーク上に公開される各ＷＥＢページを構成するＷＥＢページデータを取得するステップと、
前記取得したＷＥＢページデータに含まれる前記所定の記号または記号列を抽出するステップと、
前記ＷＥＢページデータに含まれ得る所定の記号または記号列について、前記携帯電話機での表示に悪影響を及ぼす度合いが大きいほど小さな値となるように設定された適合ポイントを保持するポイント保持手段を参照して、前記抽出した各記号または記号列の適合ポイントを取得するステップと、
ＷＥＢページ毎に取得した適合ポイントを累積してその累積値を適合性レベルとするステップと、
前記取得した各ＷＥＢページデータを、該当するＷＥＢページの識別情報および前記判定した適合性レベルと共にデータベースに記録するステップと、
前記携帯電話機から検索条件を指定した検索要求を受信するステップと、
前記データベースを参照して、前記受信した検索要求で指定された検索条件に該当するＷＥＢページのうち、前記適合性レベルが所定の条件を満足するＷＥＢページを検索するステップと、
該検索したＷＥＢページの識別情報を表示する検索結果画面を生成して、前記携帯電話機へ送信するステップと、を実行することを特徴とする。
【０００８】
請求項１および５記載の発明によれば、携帯電話機で指定された検索条件に該当するＷＥＢページのうち、携帯電話機への適合性が所定の条件を満足するＷＥＢページが検索され、当該携帯電話機へ検索結果が送信される。このため、携帯電話機では、表示・閲覧に支障のないＷＥＢページのみが検索結果として表示される。すなわち、本発明によれば、携帯電話機に対して、不要な検索結果が表示されることのない利便性の高いＷＥＢ検索サービスを提供することができる。
【０００９】
また、請求項２に記載された発明は、請求項１記載のＷＥＢ検索サービスシステムにおいて、
前記ポイント保持手段には、前記適合ポイントとして、
前記携帯電話向けのＷＥＢサイトに特有の記号又は記号列には、正の値である第１の値が設定され、
前記携帯電話向けのＷＥＢサイト及びパソコン向けＷＥＢサイトに共通に用いられる記号又は記号列には、前記第１の値より小さい正の数である第２の値が設定され、
前記携帯電話機向けのＷＥＢサイトに含まれることはあり得ないが、前記携帯電話機での表示に悪影響を与えることのない記号又は記号列には、前記第２の値より小さい第３の値が設定され、
前記携帯電話機での表示に悪影響を与えるおそれのある記号又は記号列には、前記第３の値よりも小さく、かつ、負の値である第４の値が設定されていることを特徴とする。
【００１０】
また、請求項３に記載された発明は、請求項２記載のＷＥＢ検索サービスシステムにおいて、
前記検索手段は、前記適合性レベルが、負の値である所定の基準値よりも大きいＷＥＢページを検索し、
前記結果送信手段は、前記検索したＷＥＢサイトを前記適合性レベルが大きい順に表示した前記検索結果画面を生成することを特徴とする。
【００１１】
また、請求項４に記載された発明は、請求項１〜３のうち何れか１項記載のＷＥＢ検索サービスシステムにおいて、
前記ポイント保持手段には、前記適合ポイントとして、前記携帯電話機での表示に悪影響を与えることが確実な記号又は記号列には、所定の負の値が設定され、
前記判定手段は、前記適合ポイントが前記所定の負の値である記号又は記号列が含まれるＷＥＢページについては、前記適合ポイントの累積値にかかわらず、前記適合性レベルを、前記所定の条件を満たさない値に設定することを特徴とする
【００１２】
【発明の実施の形態】
図１は、本発明の一実施形態であるシステムの全体構成図を示す。図１において、検索サーバー１０は、インターネット１２に接続されたコンピュータシステムにより構成されている。インターネット１２には、移動通信事業者が運営する通信事業者サーバー１４が接続されており、インターネット接続機能を有する携帯電話機１６は、基地局１８から通信事業者サーバー１４を介してインターネット１２に接続することができる。検索サーバー１０は、このようなインターネット接続機能を有する携帯電話機１６に対して、ＷＥＢ検索サービスを提供する。本実施形態では、携帯電話機１６がｉモード対応の携帯電話機であって、ｃＨＴＭＬで記述されたページを表示できるものとする。
【００１３】
図１に示す如く、検索サーバー１０は、ロボットエンジン部２０、レベル判定部２２、データ登録部２４、ＷＥＢサーバー部２６、検索処理部２８、およびＷＥＢページデータベース３０を備えている。
【００１４】
ロボットエンジン部２０は、定期的に（例えば、１日１回あるいは週１回等）、インターネット１２上に公開される種々のＷＥＢページを、例えば、所定の開始ＷＥＢページからリンクを辿ること等により巡回し、各ＷＥＢページを記述するＷＥＢページデータ（すなわちＨＴＭＬテキスト文）を取得する。レベル判定部２２は、ロボットエンジン部１４が取得した各ＷＥＢページデータについて、ポイントテーブル２２ａを参照して携帯電話機１６への適合度を表す適合性レベルを判定する。
【００１５】
具体的には、ポイントテーブル２２ａには、図２に示すように、ＨＴＭＬ文の構成要素である各種タグその他の予め規定された記号（以下、タグ等という）、メタ情報、ＷＥＢページデータサイズについて、携帯電話機１６への適合度を表す適合ポイントが記録されている。この適合ポイントは、携帯電話機１６での表示への適合性が高いほど大きな値となるように設定されており、図２に示す通り、本例では以下のようなポイント設定をしている。
【００１６】
▲１▼ｉモード向けサイトに特有のタグ等：５ポイント
例えば、ｉモード向けＷＥＢページでは、"&#"の後に所定範囲内の２バイトの数値を指定することにより絵文字を表現することができる。したがって、記号"&#"に続けて上記所定範囲内の数値を含むＷＥＢページはｉモード向けサイトであると判断できる。そこで、"&#[XXYY]"（XXYYは上記の２バイト数値）には、適合ポイントとして５ポイントを付与することとしている。同様に、タグ＜A accesskey 〜>、<A href="tel:〜>、<INPUT ... istyle〜>"はｉモード向けサイトのみで用いられるため、これらについても５ポイントを付与することとしている。
【００１７】
▲２▼ｉモード向けサイト・パソコン向けサイトに共通に用いられるタグ等：１ポイント
タグ<A 〜>（上記の＜A accesskey 〜>、<A href="tel:〜>を除く）、<BASE 〜>、<BLOCKQUOTE>等は、パソコン向けサイトおよびｉモード向けサイトに共通に用いられるタグである。すなわち、これらのタグを含んでいるからといってｉモード向けサイトであるとはいえないが、少なくとも携帯電話機１６での表示には全く問題がない。そこで、これらのタグには適合ポイントとして１ポイントを付与することとしている。
【００１８】
▲３▼ｉモード向けサイトに含まれることは有り得ないが、含まれていても携帯電話機での表示に支障がないタグ等：０ポイント
タグ<ADDRESS>、<BIG>、<CODE>等は、パソコン向けサイトにしか用いられないが、これらのタグが含まれていても、携帯電話機１６での表示には特に支障はない。すなわち、携帯電話機１６への適合性に関しては中立であるので、適合ポイントとして０ポイントを付与することとしている。
【００１９】
▲４▼携帯電話機での表示に悪影響を与えるおそれのあるタグ等：−１ポイント
例えば、タグ<CAPTION>や<TABLE>はテーブル表示に関して用いられるタグであり、携帯電話機１６での表示を乱す可能性がある。このように携帯電話機１６での表示に悪影響を与えるおそれのあるタグには、適合ポイントとして−１ポイントを付与することとしている。
【００２０】
▲５▼パソコンでの閲覧を前提としたタグ等であって携帯電話機での表示に悪影響を与えるおそれが大きいタグ等：−３ポイント
タグ<FIELDSET>、<LEGEND>はフィールドに関するタグであり、また、<LINK>はスタイルシートに関するタグであって、何れも、携帯電話機１６での表示に携帯電話機での表示を乱してしまう可能性が大きい。このように携帯電話機１６での表示に悪影響を与えるおそれの大きいタグには、適合ポイントとして−３ポイントを付与することとしている。
【００２１】
▲６▼携帯電話機での表示に重大な障害を与えることが確実なタグ等：−５０ポイント
例えばタグ<APPLET>はＪＡＶＡアプレットを指定するためのタグであり、また、タグ<AREA>はクリッカブルマップを指定するためのタグである。これらのタグを含んだＷＥＢページを携帯電話機１６で表示しようとすると、レイアウトが大きく乱れる等の悪影響が出ることは確実である。また、ＷＥＢページにおいて用いられている文字コードがＳＪＩＳ以外のコードであり、あるいは、ＷＥＢページのメディアタイプが"text/html"、"text/plain"、または"image/gif"以外である場合は、携帯電話機１６では表示を行うことができない。このように、携帯電話機１６での表示に重大な障害を与えることが確実なタグ等は、携帯電話機１６への適合性が全くないので、適合ポイントとして−５０ポイントを付与することとしている。なお、ＷＥＢページで用いられている文字コードは、ＷＥＢページデータを解析することにより検知される。また、メディアタイプは、ロボットエンジン部２０がＷＥＢページへアクセスした際に、そのＷＥＢページへメディアタイプを問い合わせることにより取得される。
【００２２】
▲７▼データサイズが表示可能な上限値を超える場合：−５０ポイント
携帯電話機１６で表示することが可能なＷＥＢページのデータサイズには上限が定められており、ＷＥＢページのデータサイズがこの上限サイズ（例えば５ｋバイト）を超える場合には、携帯電話機１６で閲覧することはできないと。そこで、ＷＥＢページデータのサイズが上記の上限サイズを超える場合には、適合ポイントとして−５０ポイントを付与することとしている。
【００２３】
なお、図２のポイントテーブル２２ａに示すポイント設定は単なる一例であり、各適合ポイントが、携帯電話機１６におけるＷＥＢページ表示への適合度を反映するように、適宜定めればよい。
【００２４】
レベル判定部２２は、ロボットエンジン部２０が取得したＷＥＢページデータからタグ等を抽出して、各タグ等、メタ情報、およびページデータサイズについて上記のポイントテーブル２２ａを参照して適合ポイントを取得する。そして、当該ＷＥＢページデータについて適合ポイントを累積し、その累積ポイント数を当該ＷＥＢページデータの適合性レベルとする。その際、それらの適合ポイントが１つでも−５０ポイントを含む場合には、適合ポイントの累積値にかかわらず、そのＷＥＢページの適合性レベルを−５０とする。
【００２５】
一方、データ登録部２４は、ロボットエンジン部２０が取得した各ＷＥＢページデータに含まれるテキスト情報を、後述するキーワード検索処理が高速に行えるように、形態素解析により単語レベルへの分割を行い、さらに、検索用インデックスファイルの作成等を行う。そして、このテキスト情報を各ＷＥＢページのＵＲＬに関係付けてＷＥＢページデータベース３０に記録すると共に、レベル判定部２２により判定された適合性レベルを、該当するＷＥＢページのＵＲＬに関係付けて記録する。
【００２６】
次に、携帯電話機１６から検索サーバー１０へのアクセスが行われた場合の処理について図３に示すフローチャートを参照して述べる。図３に示すように、携帯電話機１６からアクセスがあると、先ず、ステップ１００において、ＷＥＢサーバー部２６から当該携帯電話機１６へ検索画面が送信される。検索画面にはキーワード入力欄が設けられており、利用者はこのキーワード入力欄に検索キーワードを入力して検索要求を行う。
【００２７】
ステップ１０２では、上記検索画面で入力された検索キーワードが受信され、この検索キーワードが検索処理部２８へ引き渡される。
【００２８】
ステップ１０４では、検索処理部２８において、ＷＥＢページデータベース３０を参照して、テキスト情報に検索キーワードを含むＷＥＢページが検索される（一次検索）。
【００２９】
ステップ１０６では、検索処理部２８において、上記一次検索において抽出された各ＷＥＢページの適合性レベルがＷＥＢデータベース３０から取得される。次に、取得された適合性レベルが所定値（例えば−５０）以下であるＷＥＢページが、携帯電話機１６では表示できないサイトであるとして、一次検索結果から排除される（二次検索）。そして、排除されないで残ったＷＥＢサイトが適合性レベルの高い順にソートされ、ＷＥＢサーバー部２６へ引き渡される。
【００３０】
ステップ１０８では、ＷＥＢサーバー部２６が、検索処理部２８から引き渡された二次検索結果を表示する検索結果画面を生成して、携帯電話機１６へ送信する。
【００３１】
以上説明したように、本実施形態では、携帯電話機１６から検索要求があった場合に、適合性レベルが所定値以下のＷＥＢページ（つまり、携帯電話機１６で閲覧できないＷＥＢページ）を検索結果から除外して、当該携帯電話機１６へ提示することができる。すなわち、携帯電話機１６では閲覧可能なＷＥＢページのみが検索結果として表示されることとなる。このように、本実施形態の検索サーバー１０によれば、不要な検索結果が表示されることのない、利用者にとって利便性の高い携帯電話機向けの検索サービスを提供することができる。
【００３２】
また、検索結果画面には、検索条件に該当するＷＥＢページが適合ポイントの高い順に表示される。このため、利用者は、検索結果画面から、各ＷＥＢページの携帯電話機１６への適合の度合いも知ることができる。
【００３３】
ところで、携帯電話機１６は、その機種によって機能が異なることがある。そこで、機種毎の機能の違いに対応して、適合ポイントの設定を変更するようにしてもよい。例えば、上記実施形態では、携帯電話機１６で表示可能な画像データ形式がＧＩＦ形式のみであるという前提で、メディアタイプが"image/gif"以外の場合には携帯電話機１６での表示に適合性がないとして−５０ポイントを付与している。しかし、機種によっては、ＪＰＥＧ形式やＰＮＧ形式の画像データを表示できるものもあり、そのような機種では、メディアタイプが"image/jpeg"あるいは"image/png"であっても適合性がないと判断すべきではない。こうした場合に、メディアタイプに応じた適合ポイントを携帯電話機１６の機種に応じて定めることで、その携帯電話機１６への適合性を正しく判断することができるのである。その他、画像データタイプに限らず、機種によって処理可能なタグ等が異なる場合には、その相違に応じて、各タグ等についての適合ポイントを変更するようにすればよく、また、機種によって表示可能な最大データサイズが異なる場合には、ＷＥＢページデータのサイズがその最大データサイズを超える場合に−５０ポイントを付与するようにすればよい。なお、携帯電話機１６からのアクセス時には、その携帯電話機１６の機種に関する情報が検索サーバー１０へ送信されてくるので、この情報によりアクセス元である携帯電話機１６の機種を検知することができる。
【００３４】
【発明の効果】
以上説明したように、本発明によれば、携帯電話機に適合した、つまり、携帯電話機での表示・閲覧に支障のないＷＥＢページのみを検索結果として表示させることができる。このため、本発明によれば、携帯電話機に対して、不要な検索結果が表示されることのない利便性の高いＷＥＢ検索サービスを提供することができる。
【図面の簡単な説明】
【図１】本発明の一実施形態であるシステムの全体構成図である。
【図２】各タグ等について適合ポイントが記録されたポイントテーブルの内容を示す図である。
【図３】携帯電話機から検索サーバーへアクセスがあった場合に実行される処理を表すフローチャートである。
【符号の説明】
１０  検索サーバー
１２  インターネット
１６  携帯電話機
２０  ロボットエンジン部
２２  レベル判定部
２２ａ  ポイントテーブル
２４  データ登録部
２６  ＷＥＢサーバー部
２８  検索処理部
３０  ＷＥＢページデータベース
【図１】
0003714879.tif 000002
【図２】
0003714879.tif 000003
【図３】
0003714879.tif 000004